(57)【要約】【課題】  木材乾燥の多額の設備費と人件費が嵩む「多額の設備費と人件費の問題」、木材には圧縮・曲げ強度にバラツキがあり「過剰仕様の問題」、木材には黴が発生し黴対策が必要な「黴発生の問題」、木材には松食い虫が発生し輸出対策が必要な「松食い虫の問題」が解決された箱を提供することを目的とする。【解決手段】  方形の底面と、底面の四周辺縁部から垂直上方向に位置する四つの側面とからなる立方体または直方体の箱において、側面は側平板と木材加工品製支柱と木材加工品製カマチ、または側平板と木材加工品製カマチとからなり、側平板は熱可塑性樹脂製中空構造板および合成樹脂製シートからなる群から選ばれた平板からなり、側平板と支柱や木材加工品製カマチとはステープラーで接合されてなる箱とした。【選択図】  図１
2006206054.tif 000002
【特許請求の範囲】
【請求項１】
方形の底面と、底面の四周辺縁部から垂直上方向に位置する四つの側面とからなる立方体または直方体の箱において、側面は側平板と木材加工品製支柱と木材加工品製カマチ、または．平板と木製加工品製カマチとからなり、側平板は熱可塑性樹脂製中空構造板および合成樹脂製シートからなる群から選ばれた平板からなり、側平板と木材加工品製支柱や木製加工品製カマチとはステープラーで接合されてなる箱。
【請求項２】
隣接する側面同士および／または側面と木材加工品製底面とがステープラーで接合されてなる請求項１記載の箱。
【請求項３】
側平板が熱可塑性樹脂製中空構造板からなる請求項１または２記載の箱。
【請求項４】
側平板が厚さ１〜１５ｍｍの熱可塑性樹脂製中空構造板からなる請求項１または２記載の箱。
【請求項５】
側平板が発泡体の合成樹脂製シートからなる請求項１または２記載の箱。
【請求項６】
側平板が厚さ１〜１５ｍｍの発泡体の合成樹脂製シートからなる請求項１または２記載の箱。
【発明の詳細な説明】
【技術分野】
【０００１】
本発明は箱に関する。詳しくは、本発明は、箱の四周辺を構成する側面が特定の素材の側平板と木材加工品製支柱や木材加工品製カマチとからなり、側平板と木材加工品製支柱や木材加工品製カマチとがステープラーで接合されてなる箱に関する。本発明の箱は、物品とりわけ比較的重量の大なる物品の運搬や保管に好ましく用いられる。
【背景技術】
【０００２】
従来、例えば自動車用エンジン部品一式（重量は５００ｋｇ）のように比較的重量の大なる物品を、東南アジアなどの海外へ運搬したり運搬に際して各地で保管したりするために使用されている箱は、図１７に示した箱である。
【０００３】
この箱は、方形の底面と、底面の四周辺縁部から垂直上方向に位置する四つの側面とからなる立方体または直方体の箱において、側面は側平板１０２と支柱１０４とカマチ１０３、または側平板１０２とカマチ１０３とからなり、側平板１０２は熱可塑性樹脂製中空構造板および合成樹脂製シートからなる群から選ばれた平板からなり、側平板１０２と支柱１０４やカマチ１０３とはステープラー１２５で接合されてなる。
【０００４】
この先行技術は、本出願人等が開発し、出願し、既に特許第２６９０１４７１号として登録されている。
【特許文献１】特許第２６９０４７１号
【発明の開示】
【発明が解決しようとする課題】
【０００５】
しかし、図１７の木製箱は以下の問題点を持っている。
「問題点１」
木材は含水率が高く、ＪＩＳ規格の含水率は２０％以下に設定されている。特に含水率が高いと梱包内用品に錆や黴などを引き起こす原因になる可能性がある。原木から製材した後の木材の含水率は５０％以上のものも多くあるために乾燥する必要がある。そのために自然乾燥および人工乾燥が必要となり、自然乾燥には広大な場所を要し、人工乾燥には設備を要し、多額の費用の出費になり、また、自然乾燥も人工乾燥の木材を乾燥のために積み上げなければならないので、相当の人員が必要となり、その分人件費が嵩む（多額の設備費と人件費の問題）。
「問題点２」
木材は多くの種類があり、その種類により圧縮・曲げ強度にバラツキがある。また、木材には節があり、その節も多くあったり、少なかったりして、バラツキが多いので、圧縮・曲げ強度が一定していないので、過剰仕様になる（過剰仕様の問題）。
「問題点３」
木材は季節的に湿度が高い時に黴が発生する。黴が発生すれば、内容品に悪影響を与える可能性があるので、黴取りが必要になり、黴取り剤に費用がかかり、また、その人件費も多額になる。そして、黴が発生しないように防黴剤を塗布する必要がある（黴発生の問題）。
「問題点４」
木材を使用すると、最近において、松を枯れさせる松食い虫が問題になっているが、その成虫がマツノザイセンチュウと言われ、木材の中に生息している。その木材を使用した輸出梱包箱を海外に送る場合、相手国から、日本国内で輸出する際にマツノザイセンチュウを死滅させるために国際基準ＮＯ．１５で規定されている熱処理（木材の中心温度が５６℃以上で３０分）を義務付ける輸入国が多くなってきており、その熱処理をするには多額の費用が発生する（松食い虫の問題）。
【０００６】
本発明の目的はこれらの問題点を解決した箱を提供することである。
【課題を解決するための手段】
【０００７】
本発明者は、上記問題点を持たない箱の開発について鋭意研究を重ねてきた。
【０００８】
その結果、箱の底面・支柱・カマチに木材加工品を用いることにより、上記問題点を持たない箱が得られることを見出し、本発明を完成させるに至った。
【発明の効果】
【０００９】
本発明の箱は、方形の底面と、底面の四周辺縁部から垂直上方向に位置する四つの側面とからなる立方体または直方体の箱において、側面は側平板と木材加工品製支柱と木材加工品製カマチ、または側平板と木材加工品製カマチとからなり、側平板は熱可塑性樹脂製中空構造板および合成樹脂製シートからなる群から選ばれた平板からなり、側平板と木材加工品製支柱や木材加工品製カマチとはステープラーで接合されてなる箱であるから、従来の箱が有する問題点すなわち、木材乾燥の多額の設備費と人件費が嵩む「多額の設備費と人件費の問題」、木材には圧縮・曲げ強度にバラツキがあり「過剰仕様の問題」、木材には黴が発生し黴対策が必要な「黴発生の問題」、木材には松食い虫が発生し輸出対策が必要な「松食い虫の問題」が解決された箱であり、例えば自動車用エンジン部品一式（重量は５００ｋｇ）のような物品を、東南アジアなどの海外へ運搬したり運搬に際して各地で保管したりするために好ましく仕様され得る箱である。
【発明を実施するための最良の形態】
【００１０】
本発明は、方形の底面と、底面の四周辺縁部から垂直上方向に位置する四つの側面とからなる立方体または直方体の箱において、側面は側平板と木材加工品製支柱と木材加工品製カマチ、または側平板と木材加工品製カマチとからなり、側平板は熱可塑性樹脂製中空構造板および合成樹脂製シートからなる群から選ばれた平板からなり、側平板と木材加工品製支柱や木材加工品製カマチとはステープラーで接合されてなる箱である。
【００１１】
本発明の特徴は、底面・支柱・カマチに木材加工品を用いることにより、乾燥における費用は不要となり、木材加工品は比較的圧縮・曲げ強度が一定でバラツキが少なく、木材加工品は加工品のため乾燥してあり黴が発生しにくく、また、木材加工品を使用すると加工製品のため熱処理行程が不要である。前記の特徴によって問題点１〜４が解決される。      
【００１２】
本発明の箱について、以下詳しく説明する。
【００１３】
図１に示した箱は、本発明の箱の一例であり、例えば自動車用エンジン部品一式を東南アジアへ運搬したりするために好ましく用いられる。この箱のサイズは縦および横が約１１００ｍｍ、高さが約１１０５ｍｍである。箱は下から、木材加工品製滑材１、木材加工品製底面（図では見えていない）、および側平板２と木材加工品製カマチ３と木材加工品製支柱４とからなる側面５から構成されており、図の−−−印はステープラー２５（ｓｔａｐｌｅｒ、ホッチキス）で接合していることを示す。ここで、箱の強度などの観点から、ステープラーは約１００ｍｍ間隔で打つのが良いが、図１（後記の図も含めて）はこの間隔を正確に反映しているものではない。なお、本発明は箱は一般に蓋９と共に用いられるが、蓋９は本発明の箱において必須ではない。
【００１４】
本発明は、底面・支柱・カマチに木材加工品を用いることで、木材乾燥の多額の設備費と人件費が嵩む「多額の設備費と人件費の問題」、木材には圧縮・曲げ強度にバラツキがあり「過剰仕様の問題」、木材には黴が発生し黴対策が必要な「黴発生の問題」、木材には松食い虫が発生し輸出対策が必要な「松食い虫の問題」を解決するものである。
【００１５】
木材加工品には、集成材、パーティクルボード、合板、ファイバーボード、ハードボード等が含まれる。
【００１６】
集成材とは、ひき板または小角等をその繊維方向を互いにほぼ平行にして、厚さ、幅および長さの方向に集成接着した一般材をいう（日本農林規格（ＪＡＳ））。
【００１７】
パーティクルボードとは、木材の小片を主な原料として接着剤によって成形熱圧した板（ＪＩＳ  Ａ  ５９０８）をいう。ここで、小片とはチップ、フレーク、ウェファー、ストランド等をいう。
【００１８】
合板とは、薄く削った薄板（単板・ベニヤ板）の奇数枚を、木目が互いに直交するように接着剤で張り会わせた板をいう。
【００１９】
ファイバーボードとは、木材繊維を主な原料として形成した板状の製品の総称をいう。用途に応じて板の密度は広範囲のものがあり、現行のＪＩＳでは密度により軟質繊維板（ＪＩＳ  Ａ  ５９０５）、中質繊維板（ＪＩＳ  Ａ  ５９０６）、硬質繊維板（ＪＩＳ  Ａ  ５９０７）の３種類に分類されており、それぞれ独自のＪＩＳ規格によりその品質を規定している。
【００２０】
ハードボード（Ｈａｒｄ  Ｆｉｂｅｒｂｏｒｄ）とは、高温高圧のプレスを用いて製板するので、板厚の割りには強度的性質が優れている。
【００２１】
底面・支柱・カマチの木材加工品としては、合板が好んで用いられる。
【００２２】
図１の箱の最下部に設けられた滑材１は、本発明の箱において必須ではないが、滑材１を設けることは箱を例えばフォークリフトなどで移動し得るので好ましい。滑材１の素材は、滑材１と後記の底面とを釘などで容易に接合し得るという観点から一般に木材加工品製が好ましく、滑材１のサイズや本数は箱のサイズや箱に入れる物品の重量などに応じて適宜決めればよい。
【００２３】
図２、図３、図４は本発明の箱に係る木材加工品製底面１１の一例である。底面１１の素材は、木材加工品製底面１１と後記の側面５とをステープラーや釘などで接合する観点から、ステープラーや釘などで容易に接合し得る木材加工品が好ましい。
【００２４】
また、図の木材加工品製底面１１は簀の子状であるが、箱の中に入れる物品などに応じて隙間をなくした形状のものであっても良いし、木材加工品製の一枚板であってもよい。木材加工品製底面１１の上には、箱の中に入れる物品の防水などの保護のために、必要に応じて樹脂、紙、金属、布などの素材からなるシート例えば厚さ０．５ｍｍのポリエチレン製シートを敷いてもよい。
【００２５】
図５〜図１０は本発明の箱に係る側面の一例である。図５〜図７は相対する一対の側面であり、図８〜図１０は残りの相対する一対の側面である。どの側面も側平板２と木材加工品製支柱４と木材加工品製カマチ３とからなり、側平板２と木材加工品製支柱４や木材加工品製カマチ３とはステープラーで接合されている。支柱４やカマチの素材は、これらと側平板２とをステープラーで接合する観点から、ステープラーで容易に接合し得る木材加工品が好ましい。
【００２６】
図５〜図１０の支柱４の素材は木材加工品で、カマチの素材も木材加工品製である。木材加工品製支柱４や木材加工品製カマチ３のサイズは、箱のサイズや箱を積み重ねる程度などによって適宜決めればよい。図５〜図１０の木材加工品製支柱４や木材加工品製カマチ３のサイズは、幅が約７０ｍｍ、厚さが約２０ｍｍである。
【００２７】
本発明の箱に係る側平板である熱可塑性樹脂製中空構造板とは、図１１に例示した構造を有するよく知られた樹脂製の平板であって、板部２１とリブ２３とからなる。熱可塑性樹脂としてはプロピレンの単独重合体、プロピレンとエチレンとの共重合体、プロピレンとブテンなどのα−オレフィンとの共重合体、プロピレンとエチレンとブテンなどのα−オレフィンとの共重合体を例示し得るが、このうちプロピレンの単独重合体、プロピレンとエチレンとの共重合体が、物性や加工性などの点から好ましい。
【００２８】
該熱可塑性樹脂は広範囲の添加剤を含有することができ、これら添加剤として難燃剤、可塑剤、繊維状ガラスなどの強化剤、酸化防止剤、離型剤、鉱物質充填剤、顔料、染料、摩耗抵抗剤を例示し得る。
【００２９】
熱可塑性樹脂性中空構造板は耐水防水性、加工性、軽量性、高強度性（リブ方向の圧縮強度等）などに優れ、また、カッター（小刀）や鋸などで容易に切断し得る素材であって、プラスチック段ボール略してプラ段と称されることがある。
【００３０】
図５〜図１０の熱可塑性樹脂製中空構造板は、ポリプロピレン系樹脂から成形された住友化学工業株式会社製の中空構造体である厚さ約９ｍｍのスミパネル（登録商標）からなる。スミパネル（登録商標）の比重は約０．２で、重量は同じ厚さの木材板のそれの約１／３であり、種々の厚さのスミパネル（登録商標）を入手し得るが、熱可塑性樹脂製中空構造板の厚さは１〜１５ｍｍが好ましい。
【００３１】
図５、図８中の○印の中の線は、熱可塑性樹脂製中空構造板のリブの方向を示す。図１２は熱可塑性樹脂製中空構造板７と木材加工品製支柱４等とをステープラー２５で接合した状態を示した図であり、ステープラー２５は熱可塑性樹脂製中空構造板７のリブ２３を挟むような配置で打ち込むのがよい。
【００３２】
本発明の箱に係る側平板である合成樹脂製シートは、公知の合成樹脂から公知の製造方法で製造されたシートであってよく、また、シートは非発泡体のシートであっても発泡体のシートであっても構わない。
【００３３】
合成樹脂製のシートの厚さは、非発泡体のシートの場合は０．５〜２０ｍｍ、発泡体のシートの場合は１．５〜２０ｍｍである。発泡体のシートは、シートの重量という観点や資源の節約という観点などから好ましいものであり、また防水性の観点から独立気泡の発泡体が好ましい。発泡倍率は１．５〜１０倍が好ましく、より好ましくは２〜４倍である。好ましい発泡体のシートの例として、プロピレンの単独重合体から製造された発泡倍率が例えば３倍の住友化学工業株式会社製のスミセラー（登録商標）を挙げることができる。
【００３４】
合成樹脂製シート用の合成樹脂は、非発泡体または発泡体のシートが得られるものであって、支柱やカマチとステープラーで接合し得るものであればよく、その種類は特に制限されない。好ましい合成樹脂としてポリオレフィン系樹脂が例示され、より具体的には種々の密度のエチレンの単独重合体、プロピレンの単独重合体、プテン−１の単独重合体、４−メチルペンテン−１の単独重合体、エチレンおよび／またはプロピレンとブテン−１、４−メチルペンテン−１、ヘキセンなどのα−オレフィンとの共重合体が例示される。これらの熱可塑性ポリオレフィン系樹脂は、単独で用いてもよいし混合物として用いてもよい。好ましい熱可塑性ボリオレフィン系樹脂はエチレンの単独重合体やプロピレンの単独重合体である。
【００３５】
本発明の箱に係る側面として、図５〜図１０に例示した側面の外に、図１３に示した側面も例示し得る。この四側面の中の相対する二側面は、側平板２と木材加工品製カマチ３とをステープラーで接合してなり、残りの相対する二側面は側平板２と木材加工品製カマチ３と木材加工品製支柱４とをステープラーで接合してなる。隣接する二側面をステープラーで接合した時、木材加工品製カマチ３と木材加工品製カマチ３’と木材加工品製支柱４とは図１４の通り組み合わされる。
【００３６】
本発明の箱に係る側面のさらなる例として、図１５、図１６の側面を例示し得る。
【００３７】
この四側面の中の相対する二側面は側平板２と木材加工品製カマチ３’とを接合してなり、残りの相対する二側面は側板２と木材加工品製カマチ３’と木材加工品製支柱４とをステープラーで接合してなる。隣接する二側面をステープラーで接合した時、木材加工品製カマチ３と木材加工品製カマチ３’と木材加工品製支柱４とは図１６の通り組み合わされる。
【００３８】
蓋は本発明の箱において必須ではないが、一般的に蓋は箱と共に使用される。
【００３９】
蓋の素材としては、例えば熱可塑性樹脂製中空構造板である住友化学工業株式会社製の厚さ４ｍｍのサンプライ（登録商標）、木材板、金属板を例示し得る。蓋の形状については、箱本体に被さるような形のものでもよいし、単なる一枚の板状物であってもよい。物品の入れた箱は布などで覆うこともできるし、また、積み重ねられた箱の場合は、一番上の箱のみに蓋をしたり布で覆ったりすることができる。
【００４０】
図示はしていないが、本発明の箱の強度を必要に応じて高めるために、支柱の外に更に縦方向の桟を設けたり、ツマの他に更に横方向の桟を設けたりすることができる。また、相対するツマとツマとの間を差し渡すように、木材加工品製などのハリを設けてもよい。      
【００４１】
本発明の箱は例えば以下の行程で製造される。
【００４２】
例えば、図１の箱の場合、まず側平板と木材加工製カマチと木材加工品製支柱とをステープラーで接合して４個の側面を作り、ついでこれら４個の側面を木材加工品製底面の周囲に立てて組み合わせ、しかる後、各側面の下端部と木材加工品製底面とをステープラーや釘などで接合し、そして隣接する側面をステープラーや釘などで接合する。なお、木材加工品製滑材を設ける時は、予め滑材と底面とを釘などで接合しておくとよい。
【００４３】
また、図１３、図１４や図１５、図１６の箱の場合、まず側平板と木材加工品製カマチと木材加工品製支柱とをステープラーで接合してなる２個の側面、および側平板と木材加工品製カマチとをステープラーで接合してなる２個の側面、および、側平板と木材加工品製カマチとをステープラーで接合してなる他の２個の側面を作り、ついで前者の２個の側面および後者の２個の側面を各々相対するようにして配置して底面の周囲に立てて組み合わせ、しかる後、各側面の下端部と木材加工品製底面とをステープラーや釘などで接合し、そして隣接する側面をステープラーや釘などで接合する。なお、木材加工品製滑材を設ける時は、予め滑材と木材加工品製底面とを釘などで接合しておくとよい。ここで、側面同士の接合や側面と木材加工品製底面との接合方法は特に限定されず、ステープラーや釘などで接合し得るが、スナープラーによる方法が好ましい。
【産業上の利用可能性】
【００４４】
本発明は、運搬用の箱として述べたが、一箇所に定置して物品の容器としても利用できる。
【図面の簡単な説明】
【００４５】
【図１】本発明の箱の好ましい態様の一つを例示した斜視図である。
【図２】本発明の箱の底面の平面図である。
【図３】図２の下側面図である。
【図４】図２の右側面図である。
【図５】本発明の箱の側面の内側面図である。
【図６】図５の下側面図である。
【図７】図５の右側面図である。
【図８】本発明の箱の他の側面の内側面図である。
【図９】図８の下側面図である。
【図１０】図８の右側面図である。
【図１１】本発明で使用する中空構造板の斜視図である。
【図１２】中空構造板と木材加工品製支柱とをステープラーにより接合した状態の斜視図である。
【図１３】本発明の他の実施例の分解斜視図である。
【図１４】図１３の側面の接合状態を示す斜視図である。
【図１５】本発明の別の実施例の分解斜視図である。
【図１６】図１５の側面の接合状態を示す斜視図である。
【図１７】従来の箱の斜視図である。
【符号の説明】
【００４６】
１…木材加工品製滑材
３…木材加工品製カマチ
４…木材加工品製支柱
５…側面
７…中空構造板
９…蓋
２３…リブ
２５…ステープラー
【図１】
2006206054.tif 000003
【図２】
2006206054.tif 000004
【図３】
2006206054.tif 000005
【図４】
2006206054.tif 000006
【図５】
2006206054.tif 000007
【図６】
2006206054.tif 000008
【図７】
2006206054.tif 000009
【図８】
2006206054.tif 000010
【図９】
2006206054.tif 000011
【図１０】
2006206054.tif 000012
【図１１】
2006206054.tif 000013
【図１２】
2006206054.tif 000014
【図１３】
2006206054.tif 000015
【図１４】
2006206054.tif 000016
【図１５】
2006206054.tif 000017
【図１６】
2006206054.tif 000018
【図１７】
2006206054.tif 000019